(57)【要約】      （修正有）【課題】知的財産権情報を分析してレポートを作成する方法と装置を提供。【解決手段】複数の所定知的財産権分析を規定する複数のテンプレートに関するユーザ選択、または複数の所定知的財産権分析のユーザ選択を含むユーザ入力が受け取られる。選択された知的財産権分析に必要な知的財産権データに応じて、データベースから知的財産権データが検索される。複数の分析済みデータセットを作成するため、検索済み知的財産権データにおいて所定知的財産権分析が実行される。分析済み知的財産権データセットをグラフィック表示する不完全知的財産権分析レポートが作成される。表示された分析済み知的財産権データセットの解釈者の解釈を提供する知的財産権解釈データが、解釈者から受け取られる。完成知的財産権分析レポートを作成するため、表示された分析済み知的財産権データセットについての知的財産権解釈データが、不完全知的財産権分析レポートに含められる。【選択図】図１
2006344211.tif 000002
【特許請求の範囲】
【請求項１】
知的財産権分析レポートを作成する方法であって、
複数の所定知的財産権分析を規定する複数のテンプレートの一つに関するユーザ選択と、複数の所定知的財産権分析に関するユーザ選択とのうち一方を含むユーザ入力を受け取ることと、
選択された前記知的財産権分析に必要な知的財産権データに応じて、少なくとも一つのデータベースから知的財産権データを検索することと、
複数の分析済みデータセットを作成するため、検索された前記知的財産権データにおいて前記所定知的財産権分析を実行することと、
分析された前記知的財産権データセットをグラフィックとして表示する不完全知的財産権分析レポートを作成することと、
知的財産権分析レポートを作成するため、前記表示された分析済み知的財産権データデータセットについての解釈者による解釈を提供する知的財産権解釈データを受け取るとともに、該表示された分析済み知的財産権データセットについての該知的所有権解釈データを前記不完全知的財産権分析レポートに含めることと、
を含む方法。
【請求項２】
前記不完全知的財産権分析レポートの作成に使用するため、前記少なくとも一つのグラフィックについての複数のグラフィックタイプの一つに関するユーザ選択を受け取ることを含む、請求項１に記載の方法。
【請求項３】
前記不完全知的財産権分析レポートの作成後に少なくとも一つのグラフィックの体裁を修正する修正ユーザ入力を受け取ることと、該修正ユーザ入力に応じて該不完全知的財産権分析レポートを再作成することとを含む、請求項１に記載の方法。
【請求項４】
前記不完全知的所有権分析レポートの作成後に実行される修正済み知的所有権分析を規定する修正ユーザ入力を受け取ることと、該修正ユーザ入力に応じて該不完全知的財産権分析レポートを再作成することとを含む、請求項１に記載の方法。
【請求項５】
少なくとも一つの前記テンプレートが標準テキストフィールドを含み、前記方法が、前記知的財産権分析レポートの少なくとも一部のサブジェクトを特定するため、該標準テキストフィールドに特定化テキストを入力することを含む、請求項１に記載の方法。
【請求項６】
前記少なくとも一つのテンプレートが、前記知的財産権解釈データのフォーム形式エントリを提供するとともに、少なくとも一つの個別グラフィックと関連する少なくとも一つのテキストボックスを含む、請求項１に記載の方法。
【請求項７】
分析前に前記検索済み知的財産権データを洗浄するように該データを処理することを含む、請求項１に記載の方法。
【請求項８】
分析前にデータエントリ間に関連性を追加するように前記検索済み知的財産権データを処理することを含む、請求項１に記載の方法。
【請求項９】
前記検索済み知的財産権解釈データがさらに、前記レポートの前記知的財産権データを要約する要約知的財産権解釈データを受け取ることと、前記知的財産権分析レポートを作成するため前記不完全知的財産権分析レポートに該要約知的財産権解釈データを含めることとを含む、請求項１に記載の方法。
【請求項１０】
前記知的財産権分析レポートが商業、ビジネス、財務の情報を含む、請求項１に記載の方法。
【請求項１１】
知的財産権分析レポートを作成するための装置であって、
複数の所定知的財産権分析を規定する複数のテンプレートの一つに関するユーザ選択と、複数の所定知的財産権分析に関するユーザ選択とのうち一方を含むユーザ入力を受け取るためのユーザ入力デバイスと、
選択された前記知的財産権分析に必要な知的財産権データに応じて、少なくとも一つのデータベースから知的財産権データを検索するための検索エンジンと、
複数の分析済みデータセットを作成するため前記検索済み知的財産権データにおいて前記所定知的財産権分析を実行するための分析エンジンと、
前記分析済み知的財産権データセットをグラフィックとして表示する不完全知的財産権分析レポートを作成するためのレポート作成装置であって、少なくとも一つの表示された分析済み知的財産権データセットについての解釈者による解釈を提供する知的財産権解釈データを受け取ることと、前記知的財産権分析レポートを作成するため、該少なくとも一つの表示された該分析済み知的財産権データセットについての該知的財産権解釈データを該不完全知的財産権分析レポートに含めることに適したレポート作成装置と、
を含む装置。
【請求項１２】
前記ユーザ入力デバイスが、前記不完全知的財産権分析レポートの作成に使用するための少なくとも一つの前記グラフィックについての複数のグラフィックタイプの一つに関するユーザ選択を受け取るのに適している、請求項１１に記載の装置。
【請求項１３】
前記ユーザ入力デバイスが、前記不完全知的財産権分析レポートの作成後に少なくとも一つのグラフィックの体裁を修正するため修正ユーザ入力を受け取るのに適しており、前記レポート作成装置が、該修正ユーザ入力に応じて該不完全知的財産権分析レポートを再作成するように機能する、請求項１１に記載の装置。
【請求項１４】
前記ユーザ入力デバイスが、前記不完全知的財産権分析の作成後に実行される修正知的財産権分析を規定するため修正ユーザ入力を受け取るのに適しており、前記レポート作成装置が、該修正ユーザ入力に応じて該不完全知的財産権分析を再作成するように機能する、請求項１１に記載の装置。
【請求項１５】
少なくとも一つの前記テンプレートが標準テキストフィールドを含み、前記ユーザ入力デバイスが、前記知的財産権分析レポートの少なくとも一部のサブジェクトを特定するための特定化テキストを該標準テキストフィールドで受け取るように機能する、請求項１１に記載の装置。
【請求項１６】
前記少なくとも一つの選択済みテンプレートが前記知的財産権解釈データのフォーム形式エントリを提供するとともに、少なくとも一つの個別グラフィックと関連する少なくとも一つのテキストボックスを含み、前記ユーザ入力デバイスが、ユーザに該少なくとも一つのテキストボックスへテキストを入力させるのに適している、請求項１１に記載の装置。
【請求項１７】
分析前に前記検索済み知的財産権データを洗浄するためのデータ洗浄プロセッサを含む、請求項１１に記載の装置。
【請求項１８】
分析前にデータエントリ間の関連性を前記検索済み知的財産権データへ追加するためのデータプロセッサを含む、請求項１１に記載の装置。
【請求項１９】
前記検索済み知的財産権解釈データがさらに、前記レポートの前記知的財産権データを要約する要約知的財産権解釈データを受け取ることを含み、前記レポート作成装置が、前記知的財産権分析レポートを作成するため該要約知的財産権解釈データを前記不完全知的財産権分析レポートに含めるように機能する、請求項１１に記載の装置。
【請求項２０】
前記知的財産権分析レポートが、商業、ビジネス、財務の情報を含む、請求項１１に記載の装置。
【請求項２１】
知的財産権分析レポートを作成するための装置であって、
複数の所定知的財産権分析を規定する複数のテンプレートの一つに関するユーザ選択と、複数の所定知的財産権分析に関するユーザ選択とのうち一方を含むユーザ入力を受け取るための受取手段と、
選択された前記知的財産権分析に必要な知的財産権データに応じて、少なくとも一つのデータベースから知的財産権データを検索するための検索手段と、
複数の分析済みデータセットを作成するため、前記検索済み知的財産権データにおいて前記所定知的財産権分析を実行するための分析手段と、
前記分析済み知的財産権データセットをグラフィックとして表示する不完全知的財産権解釈レポートを作成するための作成手段であって、前記知的財産権分析レポートを作成するため、少なくとも一つの表示された分析済み知的財産権データセットについての解釈者による解釈を提供する知的財産権解釈データを受け取るとともに、該少なくとも一つの表示された分析済み知的財産権データセットのための該知的財産権解釈データを該不完全知的財産権分析レポートに含めるのに適している、作成手段と、
を含む装置。
【請求項２２】
前記受取手段が、前記不完全知的財産権分析レポートの作成に使用するための少なくとも一つの前記グラフィックについての複数のグラフィックタイプの一つに関するユーザ選択を受け取るのに適している、請求項２１に記載の装置。
【請求項２３】
前記受取手段が、前記不完全知的財産権分析レポートの作成後に少なくとも一つのグラフィックの体裁を修正するため修正ユーザ入力を受け取るのに適しており、前記レポート手段が、該修正ユーザ入力に応じて該不完全知的財産権分析レポートを再作成するのに適している、請求項２１に記載の装置。
【請求項２４】
前記受取手段が、前記不完全知的財産権分析レポートの作成後に実行される修正知的所有権分析を規定するため修正ユーザ入力を受け取るのに適しており、前記レポート手段が、該修正ユーザ入力に応じて該不完全知的財産権分析レポートを再作成するのに適している、請求項２１に記載の装置。
【請求項２５】
少なくとも一つの前記テンプレートが標準テキストフィールドを含み、前記受取手段が、前記知的財産権分析レポートの少なくとも一部のサブジェクトを特定するための特定化テキストを該標準テキストフィールドで受け取るのに適している、請求項２１に記載の装置。
【請求項２６】
前記少なくとも一つの選択済みテンプレートが前記知的財産権解釈データのフォーム形式エントリを提供するとともに、少なくとも一つの個別グラフィックと関連する少なくとも一つのテキストボックスを含み、前記受取手段が、ユーザに該少なくとも一つのテキストボックスへテキストを入力させるのに適している、請求項２１に記載の措置。
【請求項２７】
分析前に前記検索済み知的財産権データを洗浄するためのデータ洗浄手段を含む、請求項２１に記載の装置。
【請求項２８】
分析前にデータエントリ間の関連性を前記検索済み知的財産権データへ追加するデータ処理手段を含む、請求項２１に記載の装置。
【請求項２９】
前記受取済み知的財産権解釈データがさらに、前記レポートの前記知的財産権データを要約する要約知的財産権解釈データを受け取ることを含み、前記作成手段が、前記知的財産権分析レポートを作成するため、該要約知的財産権解釈データを前記不完全知的財産権分析レポートに含めるのに適している、請求項２１に記載の装置。
【請求項３０】
前記知的財産権分析レポートが商業、ビジネス、財務の情報を含む、請求項２１に記載の装置。
【請求項３１】
知的財産権分析サービスを顧客へ提供する方法であって、
複数の所定知的財産権分析を規定する複数のテンプレートの一つを選択すること、または複数の所定知的財産権分析を選択することと、
選択された前記知的財産権分析に必要な知的財産権データに応じて、少なくとも一つのデータベースから知的財産権データを検索することと、
複数の分析データセットを作成するため、前記検索済み知的財産権データにおいて前記所定知的財産権分析を実行することと、
前記分析済み知的財産権データセットをグラフィックとして表示する不完全知的財産権分析レポートを作成することと、
解釈者により前記グラフィックの少なくとも一つの解釈を実行することと、
知的財産権分析レポートを作成するため、前記少なくとも一つのグラフィックの前記解釈から得られる知的財産権解釈データを前記不完全知的財産権分析レポートに含めることと、
前記知的財産権レポートを前記顧客へ提供することと、
を含む方法。
【請求項３２】
前記知的財産権データの検索が、該知的財産権データについて少なくとも一つのデータベースで手入力調査を実行することを含む、請求項３１に記載の方法。
【請求項３３】
分析前にデータフォーマットを統一するため前記検索済み知的財産権データを洗浄することを含む、請求項３１に記載の方法。
【請求項３４】
前記データ洗浄が、同じ実体に使用される異なる実体名を統一することを含む、請求項３３に記載の方法。
【請求項３５】
データエントリ間の関連性を表す関連性データを追加するように前記検索済み知的財産権データを処理することを含む、請求項３１に記載の方法。
【請求項３６】
前記処理が、子会社を親会社と関連付けて関連会社を単一実体として処理するため、企業フィールドの企業関連性を前記データエントリに追加することを含む、請求項３５に記載の方法。
【請求項３７】
前記処理が、実体を関連付けて関連実体を一緒に処理するため、実体フィールドの実体関連性を前記データエントリへ追加することを含む、請求項３５に記載の方法。
【請求項３８】
前記不完全知的財産権分析レポートの作成に使用するための少なくとも一つの前記グラフィックについて複数のグラフィックタイプのうち一つを選択することを含む、請求項３１に記載の方法。
【請求項３９】
前記不完全知的財産権分析レポートの作成後に少なくとも一つのグラフィックの体裁を修正することと、前記修正ユーザ入力に応じて該不完全知的財産権分析レポートを再作成することとを含む、請求項３１に記載の方法。
【請求項４０】
前記知的財産権分析レポートの少なくとも一部のサブジェクトを特定するための特定化テキストを標準テキストフィールドに入力することを含む、請求項３１に記載の方法。
【請求項４１】
前記知的財産権解釈データが、前記知的財産権分析レポートに含めるため解釈者によってフォーム形式インタフェースに入力される、請求項３１に記載の方法。
【請求項４２】
前記知的財産権分析レポートが商業、ビジネス、財務の情報を含む、請求項３１に記載の方法。
【請求項４３】
前記複数の分析済みデータセットを前記顧客へ提供することを含む、請求項３１に記載の方法。
【請求項４４】
知的財産権分析サービスを顧客に提供する方法であって、
複数の所定知的財産権分析を規定する複数のテンプレートの一つを選択すること、または複数の所定知的財産権分析を選択することと、
複数の分析済みデータセットを作成するため、知的財産権データにおいて前記所定知的財産権分析を実行することと、
前記分析済み知的財産権データセットをグラフィックとして表示する不完全知的財産権分析レポートを作成することと、
解釈者により前記グラフィックの少なくとも一つの解釈を実行することと、
知的財産権分析レポートを作成するため、前記少なくとも一つのグラフィックの前記解釈から得られた知的財産権解釈データを前記不完全知的財産権分析レポートに含めることと、
前記知的財産権レポートを前記顧客に提供することと、
を含む方法。
【請求項４５】
知的財産権分析サービスを顧客に提供する方法であって、
少なくとも一つのデータベースから知的財産権データを検索することと、
分析前に前記検索済み知的財産権データを洗浄するためとデータエントリ間の関連性を追加するために、該データを処理することと、
複数の所定知的財産権分析を規定する複数のテンプレートの一つを選択すること、または、複数の所定知的財産権分析を選択することと、
複数の分析済みデータセットを作成するため、前記処理済み知的財産権データにおいて前記所定知的財産権分析を実行することと、
前記分析済み知的財産権データをグラフィックとして含む知的財産権分析レポートを作成することと、
前記知的財産権レポートを前記顧客に提供することと、
を含む方法。
【請求項４６】
前記知的財産権データの検索が、前記知的財産権データについて少なくとも一つのデータベースで手入力調査を実行することを含む、請求項４５に記載の方法。
【請求項４７】
前記データ洗浄が、同じ実体に使用される異なる実体名を統一することを含む、請求項４５に記載の方法。
【請求項４８】
前記処理が、子会社を親会社と関連させて関連会社を単一実体として処理するため、企業フィールドの企業関連性を前記データエントリに追加することを含む、請求項４５に記載の方法。
【請求項４９】
前記処理が、実体を関連付けて関連実体を一緒に処理するため、実体フィールドの実体関連性を前記データエントリに追加することを含む、請求項４５に記載の方法。
【請求項５０】
前記知的財産権分析レポートの作成に使用するための少なくとも一つの前記グラフィックについて、複数のグラフィックタイプの一つを選択することを含む、請求項４５に記載の方法。
【請求項５１】
前記知的財産権分析レポートの作成後に少なくとも一つのグラフィックの体裁を修正することと、前記修正ユーザ入力に応じて該知的財産権分析レポートを再作成することとを含む、請求項４５に記載の方法。
【請求項５２】
前記知的財産権分析レポートの少なくとも一部のサブジェクトを特定するための特定化テキストを標準テキストフィールドに入力することを含む、請求項４５に記載の方法。
【請求項５３】
解釈者により前記グラフィックの少なくとも一つの解釈を実行することと、該少なくとも一つのグラフィックの解釈から得られる知的財産権解釈データを前記知的財産権分析レポートに含めることとを含む、請求項４５に記載の方法。
【請求項５４】
前記知的財産権解釈データが、前記知的財産権分析レポートに含めるためのフォーム形式インタフェースに解釈者によって入力される、請求項４５に記載の方法。
【請求項５５】
前記知的財産権分析レポートが商業、ビジネス、財務の情報を含む、請求項４５に記載の方法。
【請求項５６】
前記複数の分析済みデータセットを前記顧客に提供することを含む、請求項４５に記載の方法。
【請求項５７】
知的財産権分析レポートを作成する方法であって、
少なくとも一つのデータベースから知的財産権データを検索することと、
分析前に前記検索済み知的財産権データを洗浄するためとデータエントリ間の関連性を追加するために該データを処理することと、
複数の所定知的財産権分析を規定する複数のテンプレートの一つに関するユーザ選択を受け取ること、または複数の所定知的財産権分析を選択することと、
複数の分析済みデータセットを作成するため、前記処理済み知的財産権データにおいて前記所定知的財産権分析を実行することと、
前記分析済み知的財産権データセットをグラフィックとして含む知的財産権分析レポートを作成することと、
を含む方法。
【請求項５８】
前記データ洗浄が、同じ実体に使用される異なる実体名を統一することを含む、請求項５７に記載の方法。
【請求項５９】
前記処理が、子会社を親会社と関連付けて関連会社を単一実体として処理するため、企業フィールドの企業関連性を前記データエントリに追加することを含む、請求項５７に記載の方法。
【請求項６０】
前記処理が、実体を関連付けて関連実体を一緒に処理するため、実体フィールドの実体関連性を前記データエントリに追加することを含む、請求項５７に記載の方法。
【請求項６１】
前記知的財産権分析レポートの作成に使用するための少なくとも一つのグラフィックについて複数のグラフィックタイプの一つを選択することを含む、請求項５７に記載の方法。
【請求項６２】
前記知的財産権分析レポートの作成後に少なくとも一つのグラフィックの体裁を修正することと、前記修正ユーザ入力に応じて該知的財産権分析レポートを再作成することとを含む、請求項５７に記載の方法。
【請求項６３】
前記知的財産権分析レポートの少なくとも一部のサブジェクトを特定するための特定化テキストを標準テキストフィールドに入力することを含む、請求項５７に記載の方法。
【請求項６４】
前記知的財産権分析レポートの前記少なくとも一つのグラフィックの解釈者による解釈を提供する知的財産権解釈データを受け取ることと、該知的財産権解釈データを該知的財産権分析レポートに追加することとを含む、請求項５７に記載の方法。
【請求項６５】
前記知的財産権解釈データが、前記知的財産権分析レポートに含めるためのフォーム形式インタフェースで解釈者から受け取られる、請求項５７に記載の方法。
【請求項６６】
前記知的財産権分析レポートが商業、ビジネス、財務の情報を含む、請求項５７に記載の方法。
【請求項６７】
知的財産権分析レポートを作成するための装置であって、
少なくとも一つのデータベースから知的財産権データを検索するための検索エンジンと、
分析前に前記検索済み知的財産権データを洗浄するためとエントリ間の関連性を追加するために該データを処理するためのデータプロセッサと、
複数の所定知的財産権分析を規定する複数のテンプレートの一つに関するユーザ選択を受け取るとともに、複数の所定知的財産権分析を選択するためのユーザ入力デバイスと、
前記処理済知的財産権データにおいて前記所定知的財産権分析を実行して複数の分析済みデータセットを作成するための分析エンジンと、
前記分析済み知的財産権データセットをグラフィックとして含む知的財産権分析レポートを作成するためのレポート作成装置と、
を含む装置。
【請求項６８】
前記データプロセッサが同じ実体に使用される異なる実体名を統一するのに適している、請求項６７に記載の装置。
【請求項６９】
前記データプロセッサが、子会社を親会社と関連させて関連会社を単一実体として処理するため、企業フィールドの企業関連性を前記データエントリに追加するのに適している、請求項６７に記載の装置。
【請求項７０】
前記データプロセッサが、実体を関連させて関連実体を一緒に処理するため、実体フィールドの実体関連性を前記データエントリに追加するのに適している、請求項６７に記載の装置。
【請求項７１】
前記ユーザ入力デバイスが、前記知的財産権分析レポートの作成に使用するための少なくとも一つの前記グラフィックについての複数のグラフィックタイプのうち一つのユーザ選択を受け取るのに適している、請求項６７に記載の装置。
【請求項７２】
前記知的財産権分析レポートの作成後に少なくとも一つのグラフィックの体裁を修正するためのグラフィック修正エンジンを含み、前記レポート作成装置が、前記修正ユーザ入力に応じて該知的財産権分析レポートを作成するのに適している、請求項６７に記載の装置。
【請求項７３】
前記ユーザ入力デバイスが、前記知的財産権分析レポートの少なくとも一部のサブジェクトを特定するための特定化テキストを標準テキストフィールドで受け取るのに適している、請求項６７に記載の装置。
【請求項７４】
前記知的財産権分析レポートの少なくとも一つのグラフィックの解釈者による解釈を提供する知的財産権解釈データを受け取るための解釈者入力デバイスを含む、請求項６７に記載の装置。
【請求項７５】
前記解釈者入力デバイスが、前記知的財産権分析レポートに含めるためフォーム形式インタフェースで前記知的財産権解釈データを受け取るのに適している、請求項７４に記載の装置。
【請求項７６】
前記知的財産権分析レポートが、商業、ビジネス、財務の情報を含む、請求項６７に記載の装置。
【請求項７７】
知的財産権分析レポートを作成するための装置であって、
少なくとも一つのデータベースから知的財産権データを検索するための検索手段と、
分析前に前記検索済み知的財産権データを洗浄するためとデータエントリの間の関連性を追加するために該データを処理するための処理手段と、
複数の所定知的財産権分析を規定する複数のテンプレートの一つに関するユーザ選択を受け取るためと、複数の所定知的財産権分析を選択するための受取手段と、
複数の分析済みデータセットを作成するため、前記処理済み知的財産権データにおいて前記所定知的財産権分析を実行するための分析手段と、
前記分析済み知的財産権データセットをグラフィックとして含む知的財産権分析レポートを作成するための作成手段と、
を含む装置。
【請求項７８】
知的財産権分析サービスを顧客に提供する方法であって、
複数の知的財産権分析を規定する複数のテンプレートの一つを選択すること、または複数の所定知的財産権分析を選択することと、
前記選択済み知的財産権分析に必要な知的財産権データに応じて少なくとも一つのデータベースから知的財産権データを検索することと、
複数の分析データセットを作成するため、前記検索済み知的財産権データにおいて前記所定知的財産権分析を実行することと、
前記分析済み知的財産権データセットをグラフィックとして含む知的財産権分析レポートを作成することと、
修正知的財産権分析を規定するため修正ユーザ入力を受け取ることと、
前記修正ユーザ入力に応じて前記知的財産権分析レポートを再作成することと、
前記知的財産権分析レポートを顧客に提供することと、
を含む方法。
【請求項７９】
前記知的財産権データの前記検索が、前記知的財産権データについて少なくとも一つのデータベースで手入力調査を実行することを含む、請求項７８に記載の方法。
【請求項８０】
分析前に前記データフォーマットを統一するため前記検索済み知的財産権データを洗浄することを含む、請求項７８に記載の方法。
【請求項８１】
前記データ洗浄が、同じ実体に使用される異なる実体名を統一することを含む、請求項８０に記載の方法。
【請求項８２】
データエントリ間の関連性を表す関連性データを追加するため前記検索済み知的財産権データを処理することを含む、請求項７８に記載の方法。
【請求項８３】
前記処理が、子会社を親会社と関連させて関連会社を単一実体として処理するため、企業フィールドの企業関連性を前記データエントリに追加することを含む、請求項８２に記載の方法。
【請求項８４】
前記処理が、実体を関連させて関連実体を一緒に処理するため、実体フィールドの実体関連性を前記データエントリに追加することを含む、請求項８２に記載の方法。
【請求項８５】
前記不完全知的財産権分析レポートの作成に使用するため少なくとも一つの前記グラフィックについて複数のグラフィックタイプの一つを選択することを含む、請求項７８に記載の方法。
【請求項８６】
前記知的財産権分析レポートの少なくとも一部のサブジェクトを特定するための特定化テキストを標準テキストフィールドに入力することを含む、請求項７８に記載の方法。
【請求項８７】
前記知的財産権分析レポートが、商業、ビジネス、財務の情報を含む、請求項７８に記載の方法。
【請求項８８】
前記複数の分析済みデータセットを前記顧客に提供することを含む、請求項７８に記載の方法。
【請求項８９】
知的財産権レポートを作成する方法であって、
複数の所定知的財産権分析を規定する複数のテンプレートの一つのユーザ選択を受け取ること、または複数の所定知的財産権分析を選択することと、
前記選択済み知的財産権分析に必要な知的財産権データに応じて少なくとも一つのデータベースから知的財産権データを検索することと、
複数の分析済みデータセットを作成するため、前記検索済み知的財産権データにおいて前記所定知的財産権分析を実行することと、
前記分析済み知的財産権データセットをグラフィックとして含む知的財産権分析レポートを作成することと、
修正知的財産権分析を規定するため修正ユーザ入力を受け取ることと、
前記修正ユーザ入力に応じて前記知的財産権分析レポートを再作成することと、
を含む方法。
【請求項９０】
前記知的財産権分析レポートの作成に使用するための少なくとも一つの前記グラフィックについての複数のグラフィックタイプの一つに関するユーザ選択を受け取ることを含む、請求項８９に記載の方法。
【請求項９１】
分析前に前記検索済み知的財産権データを洗浄するように該データを処理することを含む、請求項８９に記載の方法。
【請求項９２】
分析前にデータエントリ間の関連性を追加するように前記検索済み知的財産権データを処理することを含む、請求項８９に記載の方法。
【請求項９３】
前記知的財産権分析レポートの前記少なくとも一つのグラフィックの解釈者による解釈を提供する知的財産権解釈データを受け取ることと、該知的財産権解釈データを該知的財産権分析レポートに追加することとを含む、請求項８９に記載の方法。
【請求項９４】
前記知的財産権解釈データが、前記知的財産権分析レポートに含めるためのフォーム形式インタフェースにおいて解釈者から受け取られる、請求項９３に記載の方法。
【請求項９５】
前記知的財産権分析レポートが、商業、ビジネス、財務の情報を含む、請求項８９に記載の装置。
【請求項９６】
知的財産権レポートを作成するための装置であって、
複数の所定知的財産権分析を規定する複数のテンプレートの一つに関するユーザ選択を受け取る、または複数の所定知的財産権分析を選択するためのユーザ入力デバイスと、
前記選択済み知的財産権分析に必要な知的財産権データに応じて、少なくとも一つのデータベースから知的財産権データを検索するための検索エンジンと、
複数の分析済みデータセットを作成するため、前記検索済み知的財産権データにおいて前記所定知的財産権分析を実行するための分析エンジンと、
前記分析済み知的財産権データセットをグラフィックとして含む知的財産権分析レポートを作成するためのレポート作成装置と、
を含み、
前記ユーザ入力デバイスが、修正済み知的財産権分析を規定するため修正ユーザ入力を受け取るのに適しており、前記レポート作成装置が、該修正ユーザ入力に応じて前記知的財産権分析レポートを再作成するのに適している、
装置。
【請求項９７】
前記ユーザ入力デバイスが、前記不完全知的財産権分析レポートの作成に使用するための少なくとも一つの前記グラフィックについての複数のグラフィックタイプの一つのユーザ選択を受け取るのに適している、請求項９６に記載の装置。
【請求項９８】
分析前に前記検索済み知的財産権データを処理して該データを洗浄するためのデータプロセッサを含む、請求項９６に記載の装置。
【請求項９９】
分析前に前記検索済み知的財産権データを処理してデータエントリ間の関連性を追加するためのデータプロセッサを含む、請求項９６に記載の装置。
【請求項１００】
前記知的財産権分析レポートの少なくとも一つのグラフィックの解釈者による解釈を提供する知的財産権解釈データを受け取るための解釈者入力デバイスを含み、前記レポート作成装置が、該知的財産権解釈データを該知的財産権分析レポートに追加するように機能する、請求項９６に記載の装置。
【請求項１０１】
前記解釈者入力デバイスが、前記知的財産権分析レポートに含めるため前記知的財産権解釈データをフォーム形式インタフェースで受け取るのに適している、請求項１００に記載の装置。
【請求項１０２】
知的財産権レポートを作成するための装置であって、
複数の所定知的財産権分析を規定する複数のテンプレートの一つのユーザ選択を受け取る、または複数の所定知的財産権分析を選択するための受取手段と、
選択された前記知的財産権分析に必要な知的財産権データに応じて、少なくとも一つのデータベースから知的財産権データを検索するための検索手段と、
複数の分析済みデータセットを作成するため前記検索済み知的財産権データにおいて前記所定知的財産権分析を実行するための分析手段と、
前記分析済み知的財産権データセットをグラフィックとして含む知的財産権分析レポートを作成するための作成手段と、
を含み、
前記ユーザ入力手段が、修正知的財産権分析を規定するため修正ユーザ入力を受け取るのに適しており、前記作成手段が、該修正ユーザ入力に応じて前記知的財産権分析レポートを作成するのに適している、
装置。
【請求項１０３】
知的財産権分析サービスを顧客に提供する方法であって、
複数の所定知的財産権分析および／または複数の指定知的財産権分析を個別選択することと、
選択された前記知的財産権分析に必要な知的財産権データに応じて、少なくとも一つのデータベースから知的財産権データを検索することと、
複数の分析済みデータセットを作成するため、前記検索済み知的財産権データにおいて前記所定知的財産権分析を実行することと、
前記分析済み知的財産権データをグラフィックとして含む知的財産権分析レポートを作成することと、
前記知的財産権レポートを前記顧客へ提供することと、
を含む方法。
【請求項１０４】
前記知的財産権分析レポートの作成後に少なくとも一つのグラフィックの体裁を修正することを選択することと、該修正選択に応じて該知的財産権分析レポートを再作成することとを含む、請求項１０３に記載の方法。
【請求項１０５】
前記知的財産権分析レポートの作成後に実行される修正知的財産権分析を規定することを選択することと、該修正選択に応じて該知的財産権分析レポートを再作成することとを含む、請求項１０３に記載の方法。
【請求項１０６】
分析前に前記検索済み知的財産権データを洗浄することを含む、請求項１０３に記載の方法。
【請求項１０７】
前記知的財産権分析レポートが、商業、ビジネス、財務の情報を含む、請求項１０３に記載の方法。
【請求項１０８】
前記複数の分析済みデータセットを前記顧客に提供することを含む、請求項１０３に記載の方法。
【請求項１０９】
知的財産権分析サービスを顧客に提供する方法であって、
少なくとも一つのデータベースから知的財産権データを検索することと、
検索された前記知的財産権データを再分類することと、
複数の分析済みデータセットを作成するため、前記検索・再分類済み知的財産権データにおいて前記所定知的財産権分析を実行することと、
前記分析済み知的財産権データセットをグラフィックとして含む知的財産権分析レポートを作成することと、
前記知的財産権レポートを前記顧客に提供することと、
を含む方法。
【請求項１１０】
前記再分類が、企業または企業構造または組織により製造される製品に基づく分類を用いて前記検索済み知的財産権データを再分類することを含む、請求項１０９に記載の方法。
【請求項１１１】
前記知的財産権分析レポートが、商業、ビジネス、財務の情報を含む、請求項１１０に記載の方法。
【請求項１１２】
前記複数の分析済みデータセットを前記顧客に提供することを含む、請求項１１０に記載の方法。
【請求項１１３】
知的財産権分析レポートを作成する方法であって、
少なくとも一つのデータベースから知的財産権データを検索することと、
前記検索済み知的財産権データの再分類のため前記再分類データを受け取ることと、
複数の分析済みデータセットを作成するため、前記検索・再分類済み知的財産権データにおいて前記所定知的財産権分析を実行することと、
前記分析済み知的財産権データセットをグラフィックとして含む知的財産権分析レポートを作成することと、
を含む方法。
【請求項１１４】
前記再分類データが、企業または企業構造または組織により製造される製品に基づく分類を用いて再分類された前記検索済み知的財産権データを含む、請求項１１３に記載の方法。
【請求項１１５】
知的財産権分析レポートを作成するための装置であって、
少なくとも一つのデータベースから知的財産権データを検索するための検索エンジンと、
再分類データを受け取るためと、該受け取った再分類データを用いて前記検索済み知的財産権データを再分類するための再分類エンジンと、
複数の分析済みデータセットを作成するため、前記検索・再分類済み知的財産権データにおいて前記所定知的財産権分析を実行するための分析エンジンと、
前記分析済み知的財産権データセットをグラフィックとして含む知的財産権分析レポートを作成するためのレポート作成装置と、
を含む装置。
【請求項１１６】
前記再分類エンジンが、企業または企業構造または組織により製造される製品に基づく分類を用いて前記検索済み知的財産権データを再分類するのに適している、請求項１１５に記載の装置。
【請求項１１７】
知的財産権分析レポートを作成するための装置であって、
少なくとも一つのデータベースから知的財産権データを検索するための検索手段と、
再分類データを受け取るためと、受け取られた該再分類データを用いて前記検索済み知的財産権データを再分類するための受取手段と、
複数の分析済みデータセットを作成するため、前記検索・再分類済み知的財産権データにおいて前記所定知的財産権分析を実行するための分析手段と、
前記分析済み知的財産権データセットをグラフィックとして含む知的財産権分析レポートを作成するための作成手段と、
を含む装置。
【請求項１１８】
前記受取手段が、企業または企業構造または組織により製造される製品に基づく分類を用いて前記検索済み知的財産権データを分類する再分類データを受け取るのに適している、請求項１１７に記載の装置。
【請求項１１９】
知的財産権分析レポートを作成する方法であって、
作成されるレポートを規定するユーザ入力を受け取ることと、
前記レポートに必要な知的財産権データに応じて、少なくとも一つのデータベースから第１知的財産権データを検索することと、
前記検索済み知的財産権データに引用された、および／または該検索済み知的財産権データを引用する第２知的財産権データを特定することと、
少なくとも一つのデータベースから前記第２知的財産権データを検索することと、
前記第１知的財産権データのための引用知的財産権データとして前記第２知的財産権データを関連付けることと、
分析済み知的財産権データを作成するため前記第１および第２知的財産権データを分析することと、
前記分析済み知的財産権データをグラフィックとして表示する知的財産権分析レポートを作成することと、
を含む方法。
【請求項１２０】
知的財産権分析レポートを作成するための装置であって、
作成されるレポートを規定するユーザ入力を受け取るための入力デバイスと、
前記レポートに必要な知的財産権データに応じて、少なくとも一つのデータベースから第１知的財産権データを検索するための調査エンジンと、
前記検索済み知的財産権データに引用された、および／または該検索済み知的財産権データを引用する第２知的財産権データを特定するための引用プロセッサと、
を含み、
前記調査エンジンが、少なくとも一つのデータベースから前記第２知的財産権データを検索するのに適しており、前記引用プロセッサが、前記第１知的財産権データのための引用知的財産権データとして該第２知的財産権データを関連付けるのに適しており、
さらに、
分析済み知的財産権データを作成するため前記第１および第２知的財産権データを分析するための分析エンジンと、
前記分析済み知的財産権データをグラフィックとして表示する知的財産権分析レポートを作成するためのレポート作成装置と、
を含む装置。
【請求項１２１】
知的財産権分析レポートを作成するための装置であって、
作成されるレポートを規定するユーザ入力を受け取るための手段と、
前記レポートに必要な知的財産権データに応じて少なくとも一つのデータベースから第１知的財産権データを検索するための手段と、
前記検索済み知的財産権データに引用された第２知的財産権データを特定するための手段と、
少なくとも一つのデータベースから前記第２知的財産権データを検索するための手段と、
前記第１知的財産権データのための引用知的財産権データとして前記第２知的財産権データを関連付けるための手段と、
分析済み知的財産権データを作成するため前記第１および第２知的財産権データを分析するための手段と、
前記分析済み知的財産権データをグラフィックとして表示する知的財産権分析レポートを作成するための手段と、
を含む装置。
【請求項１２２】
知的財産権についての引用分析方法であって、
少なくとも一つのデータベースから知的財産権についてのデータを検索することと、
検索済み知的財産権に引用された、および／または該検索済み知的財産権を引用する引用知的財産権のためのデータを検索することであって、該データが、該引用知的財産権の所有者に関する情報を含むことと、
前記引用知的財産権における関連知的財産権を判断するため、該引用知的財産権についての前記知的財産権データにおいて意味分析を実行することと、
を含む方法。
【請求項１２３】
企業の知的財産権について潜在的ライセンシーおよび／またはライセンサーを特定する方法であって、該企業の知的財産権について請求項１２２に記載の引用分析方法を実行することと、前記関連知的財産権の前記所有者を潜在的ライセンシーおよび／またはライセンサーとして特定することとを含む方法。
【請求項１２４】
知的財産権について潜在的ライセンシーおよび／またはライセンサーを特定したいと考える顧客に知的財産権サービスを提供する方法であって、
前記顧客が所有する知的財産権のデータを少なくとも一つのデータベースから検索することと、
前記顧客の知的財産権に引用された、および／または該知的財産権を引用する引用知的財産権についてのデータを少なくとも一つのデータベースから検索することであって、該データが、該引用知的財産権の所有者に関する情報を含むことと、
前記引用知的財産権の関連知的財産権を判断するため、該引用知的財産権についての知的財産権データの意味分析を実行することと、
前記関連知的財産権の所有者を潜在的ライセンシーおよび／またはライセンサーとして特定することと、
前記関連知的財産権の前記所有者の特定に基づくレポートを作成することと、
前記レポートを前記顧客に提供することと、
を含む方法。
【請求項１２５】
顧客の知的財産権について潜在的ライセンシーおよび／またはライセンサーを特定するための装置であって、
前記顧客が所有する知的財産権のデータを少なくとも一つのデータベースから検索するためと、該顧客の知的財産権に引用された、および／または該知的財産権を引用する引用知的財産権についてのデータを少なくとも一つのデータベースから検索するための調査エンジンであって、該データが、該引用知的財産権データの所有者に関する情報を含む、調査エンジンと、
前記引用知的財産権の関連知的財産権を判断するため、該引用知的財産権についての前記知的財産権データの意味分析を実行するための分析エンジンと、
潜在的ライセンシーおよび／またはライセンサーとしての前記関連知的財産権の前記所有者に関する情報を出力するための出力デバイスと、
を含む装置。
【請求項１２６】
顧客の知的財産権について潜在的ライセンシーおよび／またはライセンサーを特定するための装置であって、
前記顧客が所有する知的財産権についてのデータを少なくとも一つのデータベースから検索するためと、該顧客の知的財産権に引用された、および／または該知的財産権を引用する引用知的財産権についてのデータを少なくとも一つのデータベースから検索するための手段であって、該データが、該引用知的財産権の該所有者に関する情報を含む、手段と、
前記引用知的財産権の関連知的財産権を判断するため、該引用知的財産権についての知的財産権データの意味分析を実行するための手段と、
潜在的ライセンシーおよび／またはライセンサーとしての前記関連知的財産権の前記所有者に関する情報を出力するための手段と、
を含む装置。
【請求項１２７】
請求項1，５７，８９，１０３，１１３，１１９，１２２のいずれか一項の方法を実施するようにコンピュータを制御するためのコンピュータ可読コードを含むキャリヤ媒体。
【発明の詳細な説明】
【技術分野】
【０００１】
本発明は、知的財産権情報の分析とレポートの提供とに関連する。すなわち本発明は、知的財産権情報を分析してレポートを作成するための方法および装置と、知的財産権情報を分析して顧客へレポートを提供するための知的財産権分析サービスとに関連する。
【背景技術】
【０００２】
知的財産権（ＩＰ）つまり商標、意匠、著作権、特許は企業の重要な資産であり、自社のＩＰ資産についての知識は、競合相手のＩＰとともに重要である。ＩＰ情報は、膨大な量の技術情報、法律情報、経済情報、戦略ビジネス情報を含む。会社または業界のＩＰの分析により、会社は自社のＩＰの製品開発と商業上の好機について戦略的判断を下すことが可能になる。ＩＰ情報は多くの情報源から入手可能であり、多様なデータベースからインターネットを介してダウンロードできる。無料で入手できる情報源もあれば、使用料が必要なところもあり、他には定期購読を必要とするものもある。ＩＰ情報の各情報源は独自のユーザインタフェースを提供し、独自の専用フォーマットで結果を提供する。ＩＰ調査では、効率的で正確な調査を実施するには訓練が必要であり、このような調査は調査結果を生データとして提供するに過ぎない。
【０００３】
会社または技術分野についてＩＰを分析してＩＰのグラフィック表示を作成するため市場で入手できるＩＰ分析ツールは多く見られる。このような分析ツールは、Ｔｈｏｍｓｏｎ  Ｃｏｒｐｏｒａｔｉｏｎから販売されているＤｅｒｗｅｎｔ  Ａｎａｌｙｔｉｃｓ（Ｖａｎｔａｇｅ  Ｐｏｉｎｔにより作動）ＴＭと、Ｔｈｏｍｓｏｎ  Ｃｏｒｐｏｒａｔｉｏｎから販売されているＡｕｒｅｋａＴＭ（以前はＡｕｒｉｇｉｎ）とを含む。これら分析ツールは、いかにして調査結果を有効利用するかという問題を克服し、調査結果の分析を可能にしてＩＰデータのグラフィック表示を提供する。しかしそれでも、オペレータが分析ソフトウェアを作動させるにはかなりの訓練を必要とする。また各分析ツールは、多様な分析の実行のためにユーザが多数の分析ソフトウェアツールを必要とする、ある種の分析を実行する。さらに、分析ソフトウェアは完全に自動化され、そのため同じ企業についての多数の名称スタイルの使用など、ＩＰ情報の不整合を考慮に入れることができない。そのうえこれら既存のツールは、分析に使用される図またはメートル法の修正など、顧客に固有の要件に合わせてカスタマイズすることができず、主要な傾向に関する専門家注釈を含まない。
【０００４】
特許文献１は、ユーザがレポートをカスタマイズできる、ＩＰ情報を調査してまとめるためのシステムと方法を開示している。ユーザは、レポート作成中に母集団のテンプレートを生成して記憶させる。しかしこれは、重要な専門家による人的分析入力を伴わないレポート自動作成システムであり、そのため処理されるデータの厳密性による制限を受ける。
【０００５】
特許文献２は、特許分析レポートを自動的に作成するためのシステムおよび方法を開示する。このシステムおよび方法は、ユーザ設定によるダウンロード・分析条件に基づいて特許指定ウンロードして記憶する。次にユーザは、特許分析レポートテンプレートと分析タイプと表示フォーマットとを選択し、それからユーザによってレポートが自動的に作成される。やはりこのシステムでは、重要な人的分析入力が行われず、そのため処理されるデータの厳密性による制限を受ける。
【０００６】
【特許文献１】ＵＳ２００２／０１３８４６５
【特許文献２】ＵＳ２００４／００８３４２２
【発明の開示】
【発明が解決しようとする課題】
【０００７】
本発明は、知的財産権のすべての面、つまり商標と意匠と著作権と特許に適用可能である。
【課題を解決するための手段】
【０００８】
本発明の第一の面は、知的財産権分析レポートを作成するための方法と装置を提供し、複数の所定知的財産権分析を規定する複数のテンプレートの一つに関するユーザ選択と、複数の所定知的財産権分析のユーザ選択のうち一方を含むユーザ入力が受け取られ、少なくとも一つのデータベースから知的財産権データが検索され、複数の分析済みデータセットを作成するため検索済み知的財産権データにおいて所定知的財産権分析が実行され、分析済み知的財産権データセットをグラフィックとして表示する不完全知的財産権分析レポートが作成され、表示された少なくとも一つの分析済み知的財産権データセットについての解釈者による解釈を提供する知的財産権解釈データが受け取られ、知的財産権分析レポートを作成するため、表示された少なくとも一つの分析済み知的財産権データセットについての知的財産権解釈データが、不完全知的財産権分析レポートに含められる。
【０００９】
本発明のこの面は、知的財産権レポートの作成と顧客へのレポートの提供とによる顧客への知的財産権分析サービスの提供に取り入れられる。
【００１０】
ゆえに、本発明のこの面では、関連性のある特許書誌的データを補足する自動作成レポートと比較して充実したレポートを提供するために、表示された一つまたはいくつかの知的財産権データについての、専門家による人的および／または機械支援解釈が解釈者により入力される。解釈では、データの傾向に関してコメントすることができ、企業情報や技術情報などデータの外的情報をデータの解釈に導入できる。
【００１１】
本発明のすべての面において、グラフィックは、表、スプレッドシート、グラフィックテキスト、グラフ、マップ、散布図などの絵画的データ表示形式、または棒グラフ、円グラフ、スパイダチャートなどの図を含む。
【００１２】
一実施例において、ユーザは、不完全知的財産権分析レポートの作成に使用するための少なくとも一つのグラフィックについて、複数のグラフィックタイプの一つを選択できる。グラフィックタイプは例えば、表、グラフ、マップ、円グラフなどである。
【００１３】
一実施例において、ユーザは、不完全知的財産権分析レポートの作成後に、少なくとも一つのグラフィックの体裁を修正するため、修正ユーザ入力を入力でき、修正ユーザ入力に応じて不完全知的財産権分析レポートが再作成される。
【００１４】
一実施例において、ユーザは、不完全知的財産権分析レポートの作成後に実行される修正知的財産権分析を規定するため、修正ユーザ入力を入力することができ、修正ユーザ入力に応じて不完全知的財産権レポートが再作成される。
【００１５】
一実施例において、少なくとも一つのテンプレートは標準テキストフィールドを含み、知的財産権分析レポートの少なくとも一部のサブジェクトを特定するための特定化テキストが、標準テキストフィールドに入力される。
【００１６】
一実施例において、少なくとも一つのテンプレートは、知的財産権解釈データのフォーム形式エントリを提供することができ、少なくとも一つの個別グラフィックと関連する少なくとも一つのテキストボックスを含む。
【００１７】
一実施例において、検索済み知的財産権データを分析前に洗浄するように該データが処理される。
【００１８】
一実施例において、分析前にデータエントリ間の関連性を追加するように検索済み知的財産権データが処理される。
【００１９】
一実施例において、知的財産権データを充実させるように知的財産権レポートは商業、ビジネス、財務の情報を含む。
【００２０】
一実施例において、作成された知的財産権レポートに使用された分析済み知的財産権データが、レポートに提示された情報に応じて顧客が独自のデータ分析をさらに実施できるように、レポートとともに顧客に提供される。
【００２１】
一実施例において、受け取られた知的財産権解釈データはさらに、レポートの知的財産権データを要約する要約知的財産権解釈データを受け取ることを含み、知的財産権分析レポートを作成するため、要約知的財産権解釈データが不完全知的財産権分析レポートに含められる。
【００２２】
本発明の別の面は、知的財産権分析レポートを作成するための方法と装置を提供し、知的財産権データが少なくとも一つのデータベースから受け取られ、分析前に検索済み知的財産権データを洗浄するとともにデータエントリ間の関連性を追加するようにデータが処理され、複数の所定知的財産権分析を規定する複数のテンプレートの一つに関するユーザ選択、または複数の知的財産権分析の選択が受け取られ、複数の分析済みデータセットを作成するため処理済み知的財産権データにおいて所定知的財産権分析が実行され、分析済み知的財産権データセットをグラフィックとして含む知的財産権分析レポートが作成される。
【００２３】
本発明のこの面は、知的財産権レポートの作成と顧客へのレポートの提供とによる顧客への知的財産権分析サービスの提供に取り入れられる。
【００２４】
ゆえに本発明のこの面では、例えば同じ法人に使用される異なる名称を除去することによってデータを洗浄するように、そして例えば関連会社についてのデータエントリを関連付けることによってデータエントリ間の関連性を追加するように知的財産権データを処理することにより、知的レポートの品質が向上する。
【００２５】
本発明の別の面は、知的財産権レポートを作成するための方法と装置を提供し、複数の所定知的財産権分析を規定する複数のテンプレートの一つに関するユーザ選択、または複数の所定知的財産権分析の選択が受け取られ、選択された知的財産権分析に必要な知的財産権データに応じて知的財産権データが検索され、複数の分析済みデータセットを作成するように検索済み知的財産権データにおいて所定知的財産権分析が実行され、分析済み知的財産権データセットをグラフィックとして含む知的財産権分析レポートが作成され、修正知的財産権分析を規定するように修正ユーザ入力が受け取られ、修正ユーザ入力に応じて知的財産権分析レポートが再作成される。
【００２６】
本発明のこの面は、知的財産権レポートの作成と顧客へのレポートの提供とによる顧客への知的財産権分析サービスの提供に取り入れられる。
【００２７】
ゆえに本発明のこの面では、修正された分析をレポートに含めることができるように、レポートは、初回作成後にユーザがレポートを補正することのできる対話式である。ゆえに、特定の分析をレポートへ含めても有益な結果が得られないとユーザが考える場合には、新しいまたは修正された分析レポートが代わりに使用される。
【００２８】
一実施例において、ユーザは、知的財産権レポートの作成に使用するための少なくとも一つのグラフィックについて複数のグラフィックタイプの一つを選択できる。
【００２９】
本発明の別の面は、知的財産権分析サービスを顧客へ提供する方法を提供し、かかる方法は、複数の所定知的財産権分析および／または複数の指定知的財産権分析を個別選択することと、選択された知的財産権分析に必要な知的財産権データに応じて少なくとも一つのデータベースから知的財産権データを検索することと、複数の分析済みデータセットを作成するように検索済み知的財産権データにおいて所定知的財産権分析を実行することと、分析済み知的財産権データセットをグラフィックとして含む知的財産権分析レポートを作成することと、知的財産権レポートを顧客に提供することとを含む。
【００３０】
本発明のこの面は、顧客のビジネス要件に基づく知的財産権分析の個別選択により顧客に指定知的財産権レポートを提供するためのサービスを提供する。
【００３１】
一実施例において、知的財産権分析レポートの作成後に少なくとも一つのグラフィックの体裁を修正するために選択が行われ、修正選択に基づいて知的財産権分析レポートが再作成される。
【００３２】
一実施例において、知的財産権分析レポートの作成後に実行される修正知的財産権分析を規定するために選択が行われ、修正選択に基づいて知的財産権分析レポートが再作成される。
【００３３】
一実施例において、検索済み知的財産権データは分析前に洗浄される。
【００３４】
本発明の別の面は、知的財産権分析レポートを作成するための方法と装置を提供し、少なくとも一つのデータベースから知的財産権データが検索され、検索済み知的財産権データが再分類され、複数の分析済みデータセットを作成するように、検索・再分類済み知的財産権データにおいて所定知的財産権分析が実行され、分析済み知的財産権データセットをグラフィックとして含む知的財産権分析レポートが作成される。
【００３５】
本発明のこの面は、知的財産権レポートの作成と顧客へのレポートの提供とによる顧客への知的財産権分析サービスの提供に取り入れられる。
【００３６】
ゆえに本発明のこの面においては、ユーザへの関連性による分類、例えば製品に依存する、企業構造に依存する、細かい技術分野カテゴリグループに依存する分類に分けられた再分類データを使用するため、作成されるレポートは顧客にとって一層有益となる。
【００３７】
本発明の別の面は、知的財産権分析レポートを作成するための方法と装置を提供し、作成されるレポートを規定するユーザ入力が受け取られ、レポートに必要な知的財産権に応じて少なくとも一つのデータベースから第１知的財産権データが受け取られ、検索済み知的財産権データに引用された、および／または検索済み知的財産権データを引用する第２知的財産権データが特定され、第２知的財産権データが少なくとも一つのデータベースから検索され、第２知的財産権データが第１知的財産権データのための引用知的財産権データとして関連付けられ、分析済み知的財産権データを作成するため第１および第２知的財産権データが分析され、分析済み知的財産権データをグラフィックとして表示する知的財産権分析レポートが作成される。
【００３８】
本発明のこの面は、知的財産権レポートの作成と顧客へのレポートの提供とによる顧客への知的財産権分析サービスの提供に取り入れられる。
【００３９】
ゆえに、本発明のこの面では、データにおいて引用関連性を確立することにより引用情報を含むレポートの作成が行われる。
【００４０】
本発明の別の面は、顧客用の知的財産権引用分析のための方法と装置を提供し、顧客が所有する知的財産権についてのデータが少なくとも一つのデータベースから検索され、検索済み知的財産権に引用された、および／または検索済み知的財産権を引用する引用知的財産権についてのデータが、少なくとも一つのデータベースから検索され、データは引用知的財産権の所有者に関する情報を含み、引用知的財産権の関連知的財産権を判断するため、引用知的財産権についての知的財産権データの意味分析が実行される。
【００４１】
本発明のこの面において、意味分析の語は意味分析と自然言語処理とを包含するものと考えられる。
【００４２】
本発明のこの面は、例えばＩＰ評価、競合相手分析・侵害、合併・買収行為、買収監査、特許脅威の正当化、年度ごとの特許戦略の調査を含む、多数のビジネス活動における有益なツールである。
【００４３】
本発明のこの面は、潜在的ライセンシーおよび／またはライセンサーとして特定された関連知的財産権の所有者についてのレポートを作成することにより、知的財産権の潜在的ライセンシーおよび／またはライセンサーを特定するためのサービスの顧客への提供に取り入れられる。
【００４４】
ゆえに、本発明のこの面は、潜在的ライセンシーおよび／またはライセンサーを特定するという商業的目的のため知的財産権分析を利用することを可能にする。
【００４５】
上に簡単に説明された本発明のいずれの面も、いかなる組合せでも同時に使用できる。
【００４６】
本発明は、本発明を実施するため、１台または数台のネットワーク接続コンピュータの使用と、１台または数台のコンピュータプログラムの使用とを包含する。ゆえに本発明は、方法を実施する１台または数台のコンピュータを制御するためのコンピュータ可読コードを含む適当なキャリヤ媒体を包含する。キャリヤ媒体は、例えば電子、電気、光学、マイクロ波、磁気、電磁気、音響、電気光学信号（ネットワークを搬送されるＴＣＰ／ＩＰ信号という特定例を含む）といった信号などの適当なキャリヤ媒体、あるいは、フロッピーディスク（登録商標）、光学メモリデバイス、ディスク（コンパクトディスク（ＣＤ）、デジタル多目的ディスク（ＤＶＤ）など）、テープやディスクなどの磁気媒体、固体メモリデバイスなどの記憶媒体である。
【発明を実施するための最良の形態】
【００４７】
本発明は、詳しくは顧客要求事項に応じたＩＰ知的レポート作成サービスのための内部システムとして適用可能であるがこれに限定されないシステムを提供する。同システムによってサービス提供者は、分析ツールと人的解釈入力を統合できる、つまり自動的段階と人的段階とを統合することができる。ＩＰ専門家が手入力段階を実行する。サービス提供により、顧客の要件に合わせてレポートを調整することができる。
【００４８】
さて、ＩＰレポート作成サービスの提供に使用するためのシステムの構造を、図１を参照して説明する。
【００４９】
データベース１，２は、インターネット３を介してアクセス可能である異なるＩＰ情報のデータベースである。データベースは無料公開情報源であっても、例えば定期購読型データベースであってもよく、データベースに含まれるデータは多様なフォーマットが可能である。データベース１，２にアクセスして、ＩＰレポートを作成するための分析用ＩＰデータを検索するように、ＩＰデータ検索システム４はインターネットに接続されている。ＩＰデータ検索システム４は、オペレータが調査パラメータを規定して、規定された調査をデータベース１，２へ送信できる調査アプリケーション４ａを含む。このような調査アプリケーションは当該技術ではよく知られている。調査アプリケーションにインタフェース接続され、例えばＸＭＬ（拡張可能マークアップ言語）フォーマット、タグフォーマット、フリーテキストフォーマット、ＣＳＶフォーマットの検索済みＩＰデータをエクスポートするアプリケーション４ｂが設けられている。データベース５への入力のためデータをフィルタリングするように、インポートフィルタ４ｃが設けられている。実行されるフィルタリングは、例えば、重複データフィールドを除去して、ＩＰデータがデータベース５へロードされる前に新しい行および制御コードを削除することにより、低レベルのデータ洗浄を実行する。
【００５０】
データベース５に記憶されたＩＰデータにアクセスして様々な方法でこれを処理するようにデータベースに接続されたデータプロセッサ６が設けられている。データプロセッサ６はユーザインタフェース７を備える。こうしてユーザは、プロセッサ６を使用して、ＩＰデータにアクセスしてデータを洗浄し、ＩＰデータエントリ間の関連性を作成し、ＩＰレポートの作成に使用するための状態となるようにデータに対する作業を概ね実行できる。後でより詳細に説明するように、引用検索のための引用を特定するように、データプロセッサ５はＩＰデータを処理できる。また、対応ＩＰ（例えば対応特許）など共通パラメータを持つＩＰデータを関連付けることができる。ＩＰデータ検索・処理のプロセスについては、後で図２を参照してさらに詳しく説明する。
【００５１】
この実施例では、遠隔データベース１，２のデータにアクセスすることによってデータベース５が形成されるが、本発明は、他のデータベースのデータから新データベースを形成することには限定されない。本発明は、ＩＰレポート作成に必要なすべてのＩＰデータがすでに利用可能である単一のオリジナルデータベースの使用を包含する。
【００５２】
さて、データベースのＩＰデータを使用したＩＰレポートの作成のためのシステムの構成要素を説明する。ＩＰレポート作成の際に一人または複数のユーザが使用するための「作業台」としての構成要素である。
【００５３】
レポート作成インタフェース１３によって、ユーザはユーザインタフェース１３ａを使用してグラフィック生成モジュール８にアクセスすることができる。グラフィック生成モジュール８は、グラフィック生成に必要なＩＰデータをすべて検索するため、データベース５に接続されている。ＩＰレポート用のグラフィックの作成時にＩＰデータの様々な分析についての分析アルゴリズムのライブラリを含む分析ライブラリ９が、グラフィック生成モジュール８に接続されている。棒グラフ、円グラフ、表、グラフなど様々なグラフィックタイプのライブラリを含むグラフィックタイプライブラリ１０が、グラフィック生成モジュール８に接続されている。ＩＰレポートを作成するためにレポート作成モジュール１１が設けられ、ＩＰレポートに含めるため、グラフィック生成モジュール８により作成されたグラフィックにアクセスするように、グラフィック生成モジュール８に接続されている。ＩＰレポートの作成に使用するための所定テンプレートを含むレポートテンプレートライブラリ１２が、レポート作成モジュール１１に接続されている。レポートの作成中または完成時にＩＰレポートを記憶するため、レポート記憶装置１４がレポート作成モジュール１１に接続されている。レポートは、レポート作成デバイス１５を用いて出力される。デバイス１５は、プリンタ、ディスプレイ、ＥメールやＩＰレポートが電子的に出力されるウェブページなど電子インタフェースのような送信デバイスなど、いかなる出力装置でもよい。装置１５は、フロッピーディスク（登録商標）、ＣＤ  ＲＯＭ、固体メモリデバイスなどのメモリデバイスを含んでもよく、ＩＰレポートはメモリデバイスに出力される。
【００５４】
レポート作成インタフェース１３はまた、人間の解釈者がグラフィックについて、またはレポートの要約として解釈データをレポートに入力できるようにレポート作成モジュール１１に接続された解釈者インタフェース１３ｂを含む。
【００５５】
図１のシステムを実施するためのハードウェアおよびソフトウェア環境は、熟練者には周知である従来周知のハードウェアおよびソフトウェア環境を含む。「作業台」に使用されるソフトウェアは、グラフィックの作成を行うことのできるＶａｎｔａｇｅ  ＰｏｉｎｔＴＭまたはＡｕｒｅｋａＴＭなど、周知のＩＰ分析ツールを含む。「作業台」は、必要な分析とグラフィックとを作成するためのカスタム社内開発ソフトウェアを含む。解釈者がレポートのテキストウィンドウに解釈テキストを入力できるように、レポート作成モジュール１１はウェブまたはフォーム形式インタフェースを提供できる。またユーザは、レポート中のグラフを修正するか、新規または修正グラフを選択することができる。
【００５６】
さて、図２を参照してＩＰデータ検索・処理のプロセスを説明する。
【００５７】
ステップＳ１において、ユーザは調査アプリケーション４ａを使用して、調査を規定しこれをデータベース１，２へ送る。次に、データベース１，２からＩＰデータが受け取られる（ステップＳ２）。低レベルデータ洗浄を実行するため、ＩＰデータがインポートフィルタ４ｃによってフィルタリングされ（ステップＳ３）、ＩＰデータは次にデータベース５に記憶される（ステップＳ４）。この点で、引用ＩＰデータ、つまり検索済みＩＰデータ記録に引用されたＩＰデータをＩＰレポートが必要とするかどうかが判断される（ステップＳ５）。必要とされなければ、ステップＳ６で、データを洗浄して関連性を追加するため、ＩＰデータがデータプロセッサ６による処理を受ける。ユーザインタフェース７を使用するユーザは、手入力で洗浄を実行できる。これは、ａ）エラーデータ補正、ｂ）多数のデータソースからのデータを結合するためのフィールドフォーマット、ｃ）データにおける正確なケーシング、ｄ）同じ法人についての異なる名称表示を一つにするための名称統一（例えば、ＡＢＣ  Ｃｏｒｐｏｒａｔｉｏｎ、ＡＢＣ  Ｃｏｒｐ．、Ａ．Ｂ．Ｃ．Ｃｏｒｐは同じ法人であり、ＩＰデータ中の会社名が統一される。このプロセスは、例えばファジー論理整合プロセスにより、また正規表現、シソーラスまたは存在論に基づいて、機械支援により行われる）、ｅ）対応特許群の形成（ＩＰ資産が関連している場合、これらが関連付けられる、例えば同じ優先日を持つ特許による対応特許群である）、ｆ）子会社に基づくもの、または合併と買収（Ｍ＆Ａ）行為に基づくもの（例えば、Ｐｆｉｚｅｒは、自社が購入したＰｈａｒｍａｃｉａに属していたＩＰを所有する）、ｇ）関連性に基づくもの（例えば、特定の代理人を、その人が雇用されている事務所または企業と関連付ける）、を含む。
【００５８】
追加される関連性は、ａ）弁理士、ｂ）譲受人、ｃ）発明者、ｄ）有効期限、ｅ）ＩＰのタイプ、例えば特許、特許出願、意匠、を含む新要素を生成するためのデータの解剖を含む。このプロセスでは、ファジー論理整合プロセスを使用できる。
【００５９】
関連会社または子会社などの周知の関連法人について、さらなる関連性が作成されてもよい。
【００６０】
ステップＳ７では、ユーザがインタフェース７を使用してＩＰデータに任意でアクセスし、ＩＰレポートの顧客に何らかの関連性を持つ限定数の分類にしたがって、これを再分類する。再分類は例えば、ａ）企業構造‐企業が異なる技術分野では異なる部門または子会社を持つことがある、ｂ）利益計算単位‐企業は異なる利益計算単位（つまり会計が別の事業セクション）を持つことがある、ｃ）製品、ｄ）単一の事業単位‐関連会社など多くの事業単位から会社が形成されることがある、ｅ）研究開発センター、ｆ）部署、ｇ）ＩＰＣ，ＥＣＬＡ、日本特許分類、ＵＳＣコードのグループ分け、他の分類システム、に基づく。再分類においてユーザは、ＩＰデータについて現行の分類データを使用し、限定数の分類の一つに新分類を追加する必要がある。特許については、分類は技術的分類でよい。分類の数は一般的に４と６の間であるが、顧客が必要とするいかなる数を用いることもできる。
【００６１】
再分類プロセスは、手入力、自動、半自動プロセスを含む。自動再分類では、シソーラス、キーワードまたはフレーズ、および／またはデータフィールドの自然言語処理に基づいて、データセットをまとめるためデータマイニングツールを使用できる。手入力プロセスは、クレーム言語の専門家検討、特許‐製品マッピング、技術分類と出願または特許発明の使用とのマッピングを含む。半自動プロセスは、クラスタつまり既定の特許グループについての技術専門家の検討、既定の分類コードリスト、主要語などへの顧客知識の適用、顧客の理解に関わる部署名などの企業構造をカテゴリ名へ適用した特許ポートフォリオの表示を含む。
【００６２】
ステップＳ５でＩＰレポート作成に引用ＩＰデータが必要であると判断された場合には、データプロセッサ６によって必要な引用ＩＰデータが特定される（ステップＳ８）。引用データは、前方引用と後方引用の両方、つまり検索済みＩＰデータに引用されたＩＰデータと、検索済みＩＰデータを引用する他のＩＰデータを含む。こうして、引用ＩＰデータについて、調査アプリケーション４ａによってデータベース１，２に対して調査リクエストが行われる（ステップＳ９）。調査リクエストは、検索済みＩＰデータに引用された引用ＩＰデータについてのものと、受け取られたＩＰデータを引用する引用ＩＰデータについてである。引用ＩＰデータは調査アプリケーション４ａによって受け取られ（ステップＳ１０）、ＩＰデータに関連するデータベース５に記憶される（ステップＳ１２）前に、インポートフィルタ４ｃによってフィルタリングされる（ステップＳ１１）。関連性は、引用ＩＰデータをＩＰデータと関連付け、引用の方向を示す。次にプロセスは、ＩＰデータと関連引用ＩＰデータとがステップＳ７で再分類される前に、ＩＰデータと関連引用ＩＰデータの洗浄のためのステップＳ６へ移る。
【００６３】
このようにして、「付加価値を持ち」商業的に関連するＩＰデータが、人的解釈に基づいて生成される。
【００６４】
図２の流れ図では、データ洗浄と再分類のステップは任意である。洗浄と再分類のレベルは、ユーザによって選択できる。
【００６５】
さてＩＰレポート作成のプロセスについて、図３の流れ図を参照して説明する。
【００６６】
ステップＳ２０では、ユーザインタフェース１３ａのユーザが、ＩＰレポート作成のためのレポートテンプレートライブラリ１２から、レポートテンプレートまたは一連の分析を選択する。テンプレートは、データベース５のＩＰデータにおいて実行される複数の分析を既定しており、分析の結果を表示するためのグラフィックのデフォルトグラフィックタイプを規定する。次にグラフィック生成モジュール８は、分析ライブラリ９とグラフィックタイプライブラリ１０とを用いて分析を実行する。分析に必要なＩＰデータがデータベース５に存在しない（ステップＳ２１）場合には、ユーザを回避するためエラーメッセージが発せられる（ステップＳ２２）。次にユーザは、データが不充分な単数または複数のグラフィックをＩＰレポートから削除する選択を行い（ステップＳ２３）、その場合にはＩＰレポート案が作成され（ステップＳ２６）、あるいは、ユーザがレポート作成を中断する選択を行い（ステップＳ２４）、その場合にはＩＰレポートは中断される（ステップＳ２５）。
【００６７】
ここまでに作成されたＩＰレポート案は、既定テンプレートのグラフィック（または選択済みグラフィック）といくつかの既定テキストとを含む。既定テキストは、テンプレートで既定される、および／またはレポート作成プロセスの前にユーザにより入力される。図７には、レポートの1ページの不完全テンプレート例４０ｒが図示されている。テンプレートは、実行される分析と、グラフィックタイプと、グラフィックが現れる領域４３レポートページとを規定する。ページの見出しと分析見出しなどの既定テキストは、テキストボックス４１，４２で規定される。後で詳述するように、グラフィック４３の解釈者による解釈データの入力のために、テキストボックス４４も規定されている。
【００６８】
ユーザインタフェース１３ａを用いるユーザは、レポートを調整して指定ＩＰレポートを提供するようにいくつかの方法でレポート案を修正できる。ユーザは、グラフィック、つまりＩＰレポートのページを追加または除去することを選択し（ステップＳ２７）、それから、追加または除去されるグラフィック、ひいては、実行されるまたは除去される分析を選択する（ステップＳ２８）。追加されるたびに、レポート案が再作成される（ステップＳ２６）。ユーザはグラフィックを修正する選択を行うこともできる（ステップＳ２９）。ユーザは、グラフィックタイプライブラリ１０で入手できるグラフィックのタイプに基づいてグラフィックタイプを変更する、例えば円グラフから棒グラフへグラフィックを変更することができる。ＩＰデータに対して新たな分析は実行されない。レポートページに異なるグラフィックタイプで再表示されるに過ぎない。ユーザは、縮尺、色彩、フォントタイプ、サイズなど、グラフィックの表示パラメータも修正できる。
【００６９】
解釈者は、解釈者インタフェース１３ｂを使用して、レポート案にアクセスし、レポートに解釈テキストを追加することができる（ステップＳ３１）。解釈者は、ＩＰレポートにより伝えられる情報に貢献できるように各グラフィックを検討して、自らの知識を用いてグラフィックを解釈するＩＰ専門家または技術専門家である。解釈者は、フォーム形式入力を用いてＩＰレポートの各グラフィックの下のテキストボックス４４に解釈データをテキストとして追加し、これにより解釈者は、テキストボックスを選択してテキストを入力するだけでよい。解釈者はまた、ＩＰレポートに含まれるＩＰ情報の全体的な要約解釈を提供するため、ＩＰレポートの最後に要約解釈を追加することができる。
【００７０】
すべての解釈がＩＰレポート案に入力されると（ステップＳ３２）、ユーザは最終フォーマットレイアウトを実行してＩＰレポートを仕上げることができる（ステップＳ３３）。こうしてレポートが作成される（ステップＳ３４）。レポートは、ワードプロセッサ文書、またはＰＤＦ文書などのイメージ文書など、周知の電子フォームで作成される。
【００７１】
レポートは、解釈者が手入力するか、データソースから自動的に入手されてレポートに挿入されるビジネスと財務の情報を含む。こうして、この情報によりレポートを充実させることができる。
【００７２】
顧客へのレポートの提供に加えて、レポートに提示される情報に基づいてデータに関してさらなる分析を顧客が実行できるように、レポートに使用される分析済みデータは電子フォームで、例えばスプレッドシートとして顧客に提供される。
【００７３】
固有のビジネス必要性に対処するため顧客が依頼したいと考えるレポートのタイプは多様である。テンプレートは、会社のＩＰに関する簡易レポート、より詳しいコメントを含む会社のＩＰに関する詳細レポート、他の会社のＩＰを示す技術分野に関する簡易レポート、より詳しいコメントを含む他の会社のＩＰを示す技術分野に関する詳細レポートなど、いくつかの標準レポートを規定する。ＩＰレポートは、静的レポート、またはレポート中のリンクに従うことにより顧客がより詳細にアクセスできるようにマークアップリンクを含む動的レポートである。また、専門家代理人により処理されるＩＰを示すレポートが作成されることもある。ライセンス許可の機会を明確にするためにレポートが作成されることもあり、潜在的ライセンシーのＩＰが顧客のＩＰについて引用される場合を示すため、グラフィックで引用データが使用される。あるＩＰが引用されているということは、そのＩＰ所有者が同じ分野で活動しており、ゆえに顧客ＩＰのライセンス許可に関心があることを意味する。
【００７４】
企業レポートの場合、レポートは、作者についてのＩＰ、ＩＰの地理的出所、年度ごとのＩＰ、弁理士、分類またはサブジェクト範囲、競合相手のＩＰ情報についての分析を含む。
【００７５】
ＩＰレポート作成についての上の説明では、ユーザと解釈者について記載されているが、これらは同じ人物であってもよい。また、解釈者は、レポート作成を実行するユーザと同じ場所にいるか同じ組織に属している必要はない。このようにして、解釈が適切な専門家に外注されることもある。さらに、解釈データは手入力で作成されても、機械支援により作成されてもよい。
【００７６】
さて、本発明のより固有の非限定的実施例について、特許レポート作成に関して説明する。
【００７７】
図４は、特許レポート作成のためのデータ準備・レポート作成プロセスのプロセス全体を示す。特許データが検索され、必要なデータが抽出される。特許所有者の名前との整合とクリーンアップのため、手入力プロセスと組み合わされたファジー整合プロセスが使用される。データを洗浄し、関連性を追加し、再分類を実行するため、データ準備が実行される。ユーザにより図イメージが作成および編集され、レポートを構築するために使用される。レポートは編集され、分析または解釈データが追加される。この実施例ではＨＴＭＬ（ハイパーテキストマークアップ言語）形式で作られたレポートを作成するため、レポートが更新され、仕上げられる。次にＨＴＭＬレポートがＭｉｃｒｏｓｏｆｔＴＭ  ＷｏｒｄまたはＰＤＦ文書に変換されて、仕上げレポートして出力される。
【００７８】
図５は、特許レポートが作成される本発明の特定実施例において、データベース５に記憶されたデータのデータ構造を示す図である。図６Ａ，６Ｂはデータをより詳細に示す。
【００７９】
メイン特許データ２０はデータベース５内で、同じ対応特許の他の特許記録を特定する対応特許データ２１、単数または複数の発明者についての発明者データ２２、特許が譲渡された譲受人を特定する譲受人データ２３、担当弁理士を特定する弁理士データ２４、特許が分類されたＩＰＣ（国際特許分類）を特定するＩＰＣおよび他のデータ２５、特許が分類されたＵＳ特許分類を特定するＵＰＣデータ２６、該当特許について引用された特許に関するデータを特定する引用データ２７にリンクされている。引用データ２７は、引用された特許が譲渡された譲受人を特定する引用譲受人データ２８と、引用された特許の代理人を特定する引用代理人データ２９と、引用された特許の発明者を特定する引用発明者３１と、引用公報番号、優先日、優先権番号、出願番号などのデータを特定する他の引用データ３０を含む。
【００８０】
さて、特許レポートについて作成されるグラフィックの例について、図８から１７を参照して説明する。グラフィック８から１７に図示されたグラフィックは、本発明にしたがって作成できるグラフィックのタイプの例に過ぎず、発明は図示された特定のグラフィックに限定されない。
【００８１】
図８は、ある会社の特許ポートフォリオについて年度ごとの公開特許を表すように作成されたグラフィックを示す。グラフィックタイプはグラフであり、年度ごとの特許出願の増加を示す。
【００８２】
図９は、ある会社の特許ポートフォリオを地理的に示す、この会社について作成されたグラフィックを示す。このグラフィックのグラフィックタイプは地図である。
【００８３】
図１０は、ある会社の特許ポートフォリオについて有効期限の範囲を示す、この会社について作成されたグラフィックを示す。このグラフィックのグラフィックタイプは、円グラフである。
【００８４】
図１１は、ある会社の上位発明者による特許の数を示す、この会社について作成されたグラフィックを示す。このグラフィックに使用されているグラフィックタイプは、棒グラフである。
【００８５】
図１２は、ある会社の特許ポートフォリオにおける上位米国特許分類を示す、この会社について作成されたグラフィックである。このグラフィックに使用されているグラフィックタイプは、棒グラフである。
【００８６】
図１３は、ある会社の特許ポートフォリオにおける特許の上位ＩＰＣを示す、この会社について作成されたグラフィックを示す。このグラフィックに使用されているグラフィックタイプは、表である。
【００８７】
図１４は、ＩＰＣの間の関係と、五つの技術分野の新技術分類とを示すように作成されたグラフィックを示す。このグラフィックに使用されているグラフィックタイプは、表である。
【００８８】
図１５は、複数の会社の特許ポートフォリオの各々を新技術カテゴリへ技術的に分類したものを示すように作成されたグラフィックである。このグラフィックに使用されているグラフィックタイプは、円グラフである。
【００８９】
図１６は、ある会社（Ａｐｐｌｅ  Ｃｏｍｐｕｔｅｒｓ  Ｉｎｃ．）の特許ポートフォリオに基づく、年度ごとの競合環境を示すように作成されたグラフィックを示す。競合環境分析は、引用データに基づいている。前方および後方引用、つまりＡｐｐｌｅ特許に引用された競合相手特許と、Ａｐｐｌｅ特許を引用している競合相手特許を示す。これは、相対的競合相手の活動に関する有益な情報を示すことができる。競合相手が活動している技術分野を示すことができる。顧客は、この情報を用いて、競合相手特許の潜在的ライセンシーを特定できる。引用データで示されているように競合相手がある特許の分野で活動している場合には、顧客がこの特許のライセンシーを発見したいと考えたならば、この特許のライセンスを競合相手に提供することを検討したいだろう。同じようにして特許の潜在的侵害者の特定を試みるためのツールとしても使用できる。そのうえ、発売前の新製品の開発についての相当な注意、および特許脅威の正当化におけるツールとして使用される。
【００９０】
図１７は、ある企業の特許ポートフォリオについて技術革新に対する投資を技術カテゴリと時期により示すように作成されたグラフィックを示す。特許ポートフォリオは、５技術分野、つまり「オーディオ・ビジュアル」、「通信・ネットワーク」、「ソフトウェア・システム」、「コンピュータ・一般」、「その他」にしたがって分類される。Ｙ軸は、特許ごとの引用数を表す。引用は前方引用、つまり顧客特許を引用するものである。平均および第３標準偏差がＹ軸に取られている。Ｙ軸の高い位置に見られる特許は、ポートフォリオ内でライセンス許可される可能性の高い特許であるため、潜在的価値の高い特許を表す。この実施例では、グラフィックの詳細を説明する標準テキストが、グラフィックの下のテキストボックスに含まれる。
【００９１】
本発明の別の実施例では、データプロセッサ６により検索済みＩＰデータおよび引用ＩＰデータにおいて実行されるプロセスの一つは、ＩＰデータの表現、例えば特許の特許クレームに関する意味処理または自然言語処理（ＮＬＰ）を含む。意味処理は当該技術では周知であり、ＡｕｔｏｎｏｍｙＴＭまたはＥｎｇｉｎｉｕｍＴＭなど市販のツールを使用できる。最も関連性の高いＩＰが決定されるように、意味処理とＮＬＰはＩＰの分析を補助する。意味分析またはＮＬＰを引用分析と組み合わせた結果、顧客にとって関連性が高い可能性を持つＩＰが特定される。顧客は、引用データにおける意味またはＮＬＰ分析の結果を多様な目的で使用できる。例えば、競合相手分析などのため潜在的ライセンシーおよび／またはライセンサーを特定するのに使用できる。
【００９２】
本発明を特定実施例について説明したが、本発明の趣旨と範囲に変形例が含まれることは当該技術の熟練者には明らかだろう。
【図面の簡単な説明】
【００９３】
【図１】本発明の一実施例によるシステムの概略図である。
【図２】本発明の一実施例によるＩＰデータ調査・処理のプロセスを示す流れ図である。
【図３】本発明の一実施例による知的財産権レポートの作成プロセスを示す流れ図である。
【図４】本発明の一実施例による特許レポートについてのデータ取得と特許レポート作成に関わる全プロセスの概略図である。
【図５】本発明の一実施例による検索済み特許データについて形成されたデータ構造の概略図である。
【図６Ａ】本発明の一実施例による特許レポート作成に使用するためデータベースに記憶された特許データの詳細を示す。
【図６Ｂ】本発明の一実施例による特許レポート作成に使用するためデータベースに記憶された特許データの詳細を示す。
【図７】本発明の一実施例による知的財産権レポートの１ページに使用されるテンプレートの概略図である。
【図８】ある特許所有者について年度ごとの公開特許を示す、特許レポートに含めるためのグラフィックの図である。
【図９】ある特許所有者について異なる地域の特許を示す、レポートに含めるためのグラフィックの図である。
【図１０】ある特許所有者について米国特許の有効期限の範囲を示す、レポートに含めるためのグラフィックの図である。
【図１１】ある会社の所有する特許について発明者が考案した特許の数を示す、レポートに含めるためのグラフィックの図である。
【図１２】ある特許所有者について上位のいくつかの米国特許分類に含まれる特許の数を示す、レポートに含めるためのグラフィックの図である。
【図１３】ある特許所有者について上位のいくつかの国際特許分類に含まれる特許の数を示す、レポートに含めるためのグラフィックの図である。
【図１４】再分類プロセスで特許に割り当てられる各技術カテゴリに関連する代表的な国際特許分類を示す、レポートに含めるためのグラフィックの図である。
【図１５】再分類プロセスで特許に割り当てられる技術分類を用いて、複数企業の特許ポートフォリオの各々の技術別内訳を示す、レポートに含めるためのグラフィックの図である。
【図１６】ある会社の特許ポートフォリオについて年度ごとの競合環境分析を示す、レポートに含めるためのグラフィックの図である。
【図１７】ある会社の特許ポートフォリオについて技術カテゴリを取り入れることにより技術革新への投資を示す、レポートに含めるためのグラフィックの図である。
【符号の説明】
【００９４】
１  データベース１
２  データベース２
３  インターネット
４  ＩＰデータ検索システム
４ａ  調査アプリケーション
４ｂ  アプリケーション
４ｃ  インポートフィルタ
５  データベース
６  データプロセッサ
７  ユーザインタフェース
８  グラフィック生成モジュール
９  分析ライブラリ
１０  グラフィックタイプライブラリ
１１  レポート作成モジュール
１２  レポートテンプレートライブラリ
１３  レポート作成インタフェース
１３ａ  ユーザインタフェース
１３ｂ  解釈者インタフェース
１４  レポート記憶装置
１５  レポート出力デバイス
２０  メイン特許
２１  対応特許群
２２  発明者
２３  譲受人
２４  弁理士
２５  他のＩＰＣ
２６  他のＵＰＣ
２７  引用データ
２８  引用譲受人
２９  引用弁理士
３０  他の引用
３１  引用発明者
４０  テンプレート
４１  章見出し
４２  分析見出し
４３  グラフィック
４４  解釈データ
【図１】
2006344211.tif 000003
【図２】
2006344211.tif 000004
【図３】
2006344211.tif 000005
【図４】
2006344211.tif 000006
【図５】
2006344211.tif 000007
【図６Ａ】
2006344211.tif 000008
【図６Ｂ】
2006344211.tif 000009
【図７】
2006344211.tif 000010
【図８】
2006344211.tif 000011
【図９】
2006344211.tif 000012
【図１０】
2006344211.tif 000013
【図１１】
2006344211.tif 000014
【図１２】
2006344211.tif 000015
【図１３】
2006344211.tif 000016
【図１４】
2006344211.tif 000017
【図１５】
2006344211.tif 000018
【図１６】
2006344211.tif 000019
【図１７】
2006344211.tif 000020
【外国語明細書】
2006344211.tif 000021
2006344211.tif 000022
2006344211.tif 000023
2006344211.tif 000024
2006344211.tif 000025
2006344211.tif 000026
2006344211.tif 000027
2006344211.tif 000028
2006344211.tif 000029
2006344211.tif 000030
2006344211.tif 000031
2006344211.tif 000032
2006344211.tif 000033
2006344211.tif 000034
2006344211.tif 000035
2006344211.tif 000036
2006344211.tif 000037
2006344211.tif 000038
2006344211.tif 000039
2006344211.tif 000040
2006344211.tif 000041
2006344211.tif 000042
2006344211.tif 000043
2006344211.tif 000044
2006344211.tif 000045
2006344211.tif 000046
2006344211.tif 000047
2006344211.tif 000048
2006344211.tif 000049
2006344211.tif 000050
2006344211.tif 000051
2006344211.tif 000052
2006344211.tif 000053
2006344211.tif 000054
2006344211.tif 000055
2006344211.tif 000056
2006344211.tif 000057
2006344211.tif 000058
2006344211.tif 000059
2006344211.tif 000060
2006344211.tif 000061
2006344211.tif 000062
2006344211.tif 000063
2006344211.tif 000064
2006344211.tif 000065
2006344211.tif 000066
2006344211.tif 000067
2006344211.tif 000068
【図１】
2006344211.tif 000069
【図２】
2006344211.tif 000070
【図３】
2006344211.tif 000071
【図４】
2006344211.tif 000072
【図５】
2006344211.tif 000073
【図６Ａ】
2006344211.tif 000074
【図６Ｂ】
2006344211.tif 000075
【図７】
2006344211.tif 000076
【図８】
2006344211.tif 000077
【図９】
2006344211.tif 000078
【図１０】
2006344211.tif 000079
【図１１】
2006344211.tif 000080
【図１２】
2006344211.tif 000081
【図１３】
2006344211.tif 000082
【図１４】
2006344211.tif 000083
【図１５】
2006344211.tif 000084
【図１６】
2006344211.tif 000085
【図１７】
2006344211.tif 000086